(57)【要約】【課題】可変抵抗器の操作量と照明空間に照射する光の色温度とを比例関係で対応付けた色温度可変型照明装置を提供する。【解決手段】発光色の色温度が異なる２種類のランプＬａ，Ｌｂからの光の混色光の色温度を可変抵抗器ＶＲの操作により変化させる。可変抵抗器ＶＲにより指示される色温度は、基本の調光データを格納した基本データテーブルＤＴ１および補正用の調光データを格納した補助データテーブルＤＴ２と照合部１２において照合される。出力部１３は、基本データテーブルＤＴ１に格納された基本の調光データを、補助データテーブルＤＴ２に格納された補正用の調光データで補正し、ランプＬａ，Ｌｂから出射する光束の合計を一定に保ったまま混色光の色温度を可変抵抗器ＶＲの操作量に比例させて変化させる。【選択図】        図１
2006210077.tif 000002
【特許請求の範囲】
【請求項１】
発光色の色温度が異なる複数種類のランプと、調光信号を受けて各種類のランプの光出力をそれぞれ制御する複数個の点灯装置と、ランプから出射される光束の合計が一定に保たれた状態でランプから出射される光の混色光の色温度を変化させるように各点灯装置に与える調光信号の調光レベルを指示する制御部と、抵抗値により制御部に色温度を指示する可変抵抗器とを備え、制御部は、各種類のランプの調光レベルの合計が可変抵抗器の抵抗値で指示される色温度にかかわらず一定になるように可変抵抗器の抵抗値に応じて基本の調光レベルを変化させる基本レベル設定部と、可変抵抗器の操作量とランプから出射される光の混色光の色温度との関係が比例関係になるように基本の調光レベルを補正するレベル補正部とを備え、レベル補正部は、各種類のランプの補正用の調光データの組を可変抵抗器の抵抗値で指示される色温度に対応付けて格納した補助データテーブルと、可変抵抗器の抵抗値に応じて補助データテーブルから補正用の調光データの組を抽出する照合部と、照合部が抽出した補正用の調光データの組を用いて基本の調光レベルを補正することにより点灯装置に与える調光信号の調光レベルを決定する出力部とを備えることを特徴とする色温度可変型照明装置。
【請求項２】
前記基本レベル設定部は、色温度に各種類のランプの基本の調光データの組を対応付けた基本データテーブルを有し、前記照合部は、前記可変抵抗器の抵抗値で指示される色温度を基本データテーブルに照合し色温度に対応する基本の調光データの組を抽出する機能を有し、前記出力部は、照合部が抽出した基本の調光データの組および補正用の調光データの組とから各種類のランプの調光レベルを決定する機能を有することを特徴とする請求項１記載の色温度可変型照明装置。
【請求項３】
発光色の色温度が異なる複数種類のランプと、調光信号を受けて各種類のランプの光出力をそれぞれ制御する複数個の点灯装置と、各点灯装置に与える調光信号の調光レベルを指示する制御部と、抵抗値により制御部に色温度を指示する可変抵抗器と、制御部の動作として、ランプから出射される光束の合計が一定に保たれた状態でランプから出射される光の混色光の色温度を変化させる調色モードと、ランプから出射される光の混色光の色温度が一定に保たれた状態でランプから出射される光の光束の合計を変化させる調光モードとを選択するモード切換スイッチとを備え、制御部は、色温度と各種類のランプの基本の調光レベルの組と組ごとの調光レベルの合計とを対応付けて格納した基本データテーブルと、色温度と各種類のランプの補正用の調光データの組と基本データテーブルにおける調光レベルの組ごとの調光レベルの合計とを対応付けて格納した補助データテーブルと、調色モードにおいて、可変抵抗器の抵抗値で指示される色温度を基本データテーブルに照合し色温度に対応する基本の調光データの組のうち調光データに対応する調光レベルの合計が可変抵抗器の操作前と同じである組を抽出するとともに、可変抵抗器の抵抗値で指示される色温度を補助データテーブルに照合し色温度に対応する補正用の調光データの組を抽出する照合部と、照合部で抽出した基本の調光レベルおよび補正用の調光レベルを用いて可変抵抗器の操作量とランプから出射される光の混色光の色温度との関係が比例関係になるように調光レベルを決定する出力部とを備え、照合部は、調光モードにおいて、可変抵抗器の抵抗値で指示される光束の合計を基本データテーブルに照合し光束の合計に対応する基本の調光データの組のうち色温度が可変抵抗器の操作前と同じである組を抽出することを特徴とする色温度可変型照明装置。
【発明の詳細な説明】
【技術分野】
【０００１】
本発明は、発光色の色温度が異なる複数種類のランプを用い、各種類のランプから出射する光束の比率を調節することにより照明空間に照射する光の色温度を変化させることを可能とした色温度可変型照明装置に関するものである。
【背景技術】
【０００２】
従来から、色温度の異なる複数のランプを用いて色温度を変化させることを可能としたこの種の色温度可変型照明装置が提案されている。たとえば、色温度が３０００Ｋである蛍光ランプと色温度が６７００Ｋである蛍光ランプとを用い、両蛍光ランプから出射する光束の合計（以下、「全光束」という）を一定に保ちつつ、各色温度の蛍光ランプの光出力を調節し各色温度の蛍光ランプから出射する光束の比率を調節することによって、照明空間に照射する光の色温度を制御するように構成した照明装置が提案されている（たとえば、特許文献１参照）。
【０００３】
特許文献１では、照度が一定になる複数種類の制御パターンをデータテーブルに用意しておき、どの制御パターンを用いるかをスイッチにより選択する構成が採用されている。各制御パターンは全光束に対応しており、１つの制御パターンでは、色温度に応じた蛍光ランプの光出力（実際には、調光データ）が規定されている。特許文献１にはフィルタを用いて色温度を補正する技術も記載されている。
【０００４】
また、特許文献１の構成例では、全光束に対応した制御パターンをスイッチで選択し、選択した全光束で色温度を調節する構成が示されているが、全光束を調節する操作部と色温度を調節する操作部とを設けた構成も知られている（たとえば、特許文献２参照）。特許文献２に記載の技術では、操作部は押釦式であって押釦の操作により全光束と色温度とをそれぞれ上昇方向および下降方向に調節できるようにしてある。
【特許文献１】特開平８−６４３６９号公報
【特許文献２】特開平８−１８５９８６号公報
【発明の開示】
【発明が解決しようとする課題】
【０００５】
ところで、撮影現場では、既設の照明器具や自然光の色温度にかかわらず撮影空間を所望の色温度に調節することが要望されており、上述した色温度可変型の照明装置を撮影用の照明装置に用いると、この種の要望を満たすことができると考えられる。しかも、上述した照明装置を用いると、色温度の異なるランプを交換することによって撮影空間（照明空間）の色温度を調節する場合に比較すると、色温度を細かく調節することができ、ランプ交換の手間がかからない上に運搬する機材の量を削減できるというメリットが生じる。その上、ランプ交換の際のランプの破損や紛失の可能性を低減し、撮影タイミングをランプ交換の作業で逃す可能性も低減する。
【０００６】
ここに、上述した技術を用いて全光束を一定に保ちながら色温度を調節するには、照明空間に照射する光の色温度に応じた各ランプごとの調光データが必要であるから、設定しようとする色温度ごとに調光データを設定しなければならない。言い換えると、色温度は離散的に設定されるから、特許文献２のように押釦式の操作部を用いることにより、色温度に対応する調光データを容易に選択することができる。
【０００７】
しかしながら、押釦式の操作部では、操作部を操作する前の色温度と所望の色温度との差が大きいときに所望の色温度を得るまでに時間がかかり、色温度を短時間で変化させることができないという問題も生じる。この種の問題は所望の色温度に対応付けたプリセットスイッチを設けることで解消されるが、プリセット用の記憶部が必要になるから、記憶部の容量が大きくなる上に、色温度を選択する操作部のほかにプリセットスイッチが必要になるから、大型化につながるという問題が生じる。
【０００８】
これに対して、舞台照明の操作卓で用いられているフェーダのように可変抵抗器で構成された操作部を用いて色温度を調節する技術を採用すると、押釦式の操作部の問題を解消できる。この構成を採用すれば、可変抵抗器の抵抗値とデータテーブルの色温度とを対応付けることにより、全光束を一定に保ちつつ色温度を変化させることが可能になる。しかも、可変抵抗器の抵抗値は連続的に変化するから、可変抵抗器の操作によって色温度を連続的に変化させるように構成することが可能である。
【０００９】
しかしながら、一般に可変抵抗器の操作量（回転量ないし移動量）の変化と照明空間に照射する光の色温度との間に比例関係はなく、可変抵抗器の操作量と色温度の変化量とを対応付けることは難しい。その結果、可変抵抗器を操作するつまみの位置に対応付けて色温度を示す目盛を付与したとしても、目盛上での色温度が等間隔にならず、２つの目盛の間の位置では２つの目盛で示された色温度の間の色温度であることしか知ることができないという問題がある。
【００１０】
ここにおいて、可変抵抗器の操作量の変化と照明空間に照射する光の色温度とが比例関係にならないのは、データテーブルにおける色温度と調光データとの対応付けを理論値に基づいて設定してあり、ランプを調光点灯させる点灯回路、ランプ、器具本体などの特性により生じる理論値からの誤差を、上述した目盛の間隔の調節によって吸収しているからである。
【００１１】
本発明は上記事由に鑑みて為されたものであり、その目的は、可変抵抗器の操作量と照明空間に照射する光の色温度とを比例関係で対応付けた色温度可変型照明装置を提供することにある。
【課題を解決するための手段】
【００１２】
請求項１の発明は、発光色の色温度が異なる複数種類のランプと、調光信号を受けて各種類のランプの光出力をそれぞれ制御する複数個の点灯装置と、ランプから出射される光束の合計が一定に保たれた状態でランプから出射される光の混色光の色温度を変化させるように各点灯装置に与える調光信号の調光レベルを指示する制御部と、抵抗値により制御部に色温度を指示する可変抵抗器とを備え、制御部は、各種類のランプの調光レベルの合計が可変抵抗器の抵抗値で指示される色温度にかかわらず一定になるように可変抵抗器の抵抗値に応じて基本の調光レベルを変化させる基本レベル設定部と、可変抵抗器の操作量とランプから出射される光の混色光の色温度との関係が比例関係になるように基本の調光レベルを補正するレベル補正部とを備え、レベル補正部は、各種類のランプの補正用の調光データの組を可変抵抗器の抵抗値で指示される色温度に対応付けて格納した補助データテーブルと、可変抵抗器の抵抗値に応じて補助データテーブルから補正用の調光データの組を抽出する照合部と、照合部が抽出した補正用の調光データの組を用いて基本の調光レベルを補正することにより点灯装置に与える調光信号の調光レベルを決定する出力部とを備えることを特徴とする。
【００１３】
この構成によれば、可変抵抗器の操作量とランプから出射される光の混色光の色温度との関係が比例関係になるように補正用の調光データで補正するから、可変抵抗器を操作するつまみに目盛を付与する場合に、色温度に関する目盛の間隔が等間隔になる。つまり、可変抵抗器のつまみに対応する隣接する２個の目盛の中間位置の色温度を選択すれば、各目盛で示される色温度の中間の色温度に対応することを直感的に知ることができるという利点がある。また、可変抵抗器の操作により色温度を調節するから、色温度を連続的かつ短時間で選択することができ、しかも色温度の異なるランプの種類にかかわらず１個の可変抵抗器を操作することで色温度を設定することができるから、操作性が高いという利点がある。また、色温度を変化させても光束の合計はほぼ一定に保たれるから、色温度を変化させても光を照射する照射対象の照度変化がない。したがって、撮影照明に用いる場合には、露光条件を一定に保ったままで色温度のみを変化させた撮影が可能になる。
【００１４】
請求項２の発明では、請求項１の発明において、前記基本レベル設定部は、色温度に各種類のランプの基本の調光データの組を対応付けた基本データテーブルを有し、前記照合部は、前記可変抵抗器の抵抗値で指示される色温度を基本データテーブルに照合し色温度に対応する基本の調光データの組を抽出する機能を有し、前記出力部は、照合部が抽出した基本の調光データの組および補正用の調光データの組とから各種類のランプの調光レベルを決定する機能を有することを特徴とする。
【００１５】
この構成によれば、補正用の調光データによる補正前の調光レベルを基本データテーブルで表すことができ、基本データテーブルを補助データテーブルと同様に照合部で扱うから、構成の共用化によって簡単な構成で実現することができる。
【００１６】
請求項３の発明は、発光色の色温度が異なる複数種類のランプと、調光信号を受けて各種類のランプの光出力をそれぞれ制御する複数個の点灯装置と、各点灯装置に与える調光信号の調光レベルを指示する制御部と、抵抗値により制御部に色温度を指示する可変抵抗器と、制御部の動作として、ランプから出射される光束の合計が一定に保たれた状態でランプから出射される光の混色光の色温度を変化させる調色モードと、ランプから出射される光の混色光の色温度が一定に保たれた状態でランプから出射される光の光束の合計を変化させる調光モードとを選択するモード切換スイッチとを備え、制御部は、色温度と各種類のランプの基本の調光レベルの組と組ごとの調光レベルの合計とを対応付けて格納した基本データテーブルと、色温度と各種類のランプの補正用の調光データの組と基本データテーブルにおける調光レベルの組ごとの調光レベルの合計とを対応付けて格納した補助データテーブルと、調色モードにおいて、可変抵抗器の抵抗値で指示される色温度を基本データテーブルに照合し色温度に対応する基本の調光データの組のうち調光データに対応する調光レベルの合計が可変抵抗器の操作前と同じである組を抽出するとともに、可変抵抗器の抵抗値で指示される色温度を補助データテーブルに照合し色温度に対応する補正用の調光データの組を抽出する照合部と、照合部で抽出した基本の調光レベルおよび補正用の調光レベルを用いて可変抵抗器の操作量とランプから出射される光の混色光の色温度との関係が比例関係になるように調光レベルを決定する出力部とを備え、照合部は、調光モードにおいて、可変抵抗器の抵抗値で指示される光束の合計を基本データテーブルに照合し光束の合計に対応する基本の調光データの組のうち色温度が可変抵抗器の操作前と同じである組を抽出することを特徴とする。
【００１７】
この構成によれば、調色モードでは、請求項１と同様の効果が得られる。一方、調光モードでは、光束の合計を変化させても色温度はほぼ一定に保たれるから、光を照射する照射対象の色を変化させることなく照射対象の照度を変化させることができる。したがって、撮影照明に用いる場合には色を変化させずに明るさの演出が可能になる。
【発明の効果】
【００１８】
本発明の構成によれば、可変抵抗器の操作量とランプから出射される光の混色光の色温度との関係が比例関係になるように補正用の調光データで補正するから、可変抵抗器を操作するつまみに目盛を付与する場合に、色温度に関する目盛の間隔が等間隔になるという利点がある。つまり、可変抵抗器のつまみに対応する隣接する２個の目盛の中間位置の色温度を選択すれば、各目盛で示される色温度の中間の色温度に対応することを直感的に知ることができるという効果が得られる。
【発明を実施するための最良の形態】
【００１９】
以下に説明する実施形態は、図１に示すように、近接させて配置した色温度の異なる２種類のランプＬａ，Ｌｂと、２種類のランプＬａ，Ｌｂをそれぞれ点灯させるインバータ回路からなる点灯装置１ａ，１ｂとを有している。ランプＬａ，Ｌｂは色温度ごとにまとめて接続され、ランプＬａは点灯装置１ａに接続され、ランプＬｂは点灯装置１ｂに接続される。点灯装置１ａ，１ｂは外部からの調光信号の入力によってランプＬａ，Ｌｂに供給する電力を連続的に変化させることが可能になっている。したがって、点灯装置１ａ，１ｂの出力を調節し各ランプＬａ，Ｌｂから出射する光束の比率を変化させることにより、照明空間に照射する光の色温度を調節することが可能になる。また、点灯装置１ａ，１ｂの出力を調節すれば、照明空間に照射する光の色温度を変化させることなく照明空間に照射する全光束を調節することも可能である。
【００２０】
本実施形態では、ランプＬａの色温度が６７００Ｋであり、ランプＬｂの色温度が３０００Ｋであって、各ランプＬａ，Ｌｂの最大光束は等しいものとする。要するに、ランプＬａ，Ｌｂは発光色の色温度以外の仕様は等しいものとする。図１では、各ランプＬａ，Ｌｂを２本ずつ設けているが、実際にはさらに多くのランプＬａ，Ｌｂを設ける。
【００２１】
各点灯装置１ａ，１ｂにはそれぞれ調光信号生成器２ａ，２ｂから調光信号が与えられる。調光信号生成器２ａ，２ｂはマイクロコンピュータを備えた制御部１０から調光レベルを指示するデューティ信号（パルス信号のデューティ比で調光レベルを表す信号）が与えられ、デューティ信号を調光レベルに応じた直流電圧の調光信号に変換して点灯装置１ａ，１ｂに与える。
【００２２】
制御部１０には照明空間に出射する光の色温度と全光束とを調節するための可変抵抗器ＶＲが接続され、さらに可変抵抗器ＶＲで指示される色温度または全光束と各点灯装置１ａ，１ｂに指示する調光レベルとを対応付けたデータテーブルＤＴが接続される。また、可変抵抗器ＶＲを色温度の調節に用いる調色モードと可変抵抗器ＶＲを全光束の調節に用いる調光モードとを選択するためのモード切換スイッチＳＷ１と、ランプＬａ，Ｌｂの点灯・消灯を指示するための入切スイッチＳＷ２とが制御部１０に接続される。図６にこの操作部を示す。
【００２３】
データテーブルＤＴは、従来構成で説明したデータテーブルと同様のデータが設定された基本データテーブルＤＴ１と、可変抵抗器ＶＲの操作量と照明空間に照射する光の色温度とが比例関係になるように基本データテーブルＤＴ１のデータを補正するためのデータが設定された補助データテーブルＤＴ２とを備える。基本データテーブルＤＴ１と補助データテーブルＤＴ２とは、個別の半導体メモリに格納することができるが、本実施形態では１つの半導体メモリに格納しているものとする。ただし、基本データテーブルＤＴ１と補助データテーブルＤＴ２とを個別の半導体メモリに格納しておけば、基本データテーブルＤＴ１を格納した半導体メモリを共通に用い、補助データテーブルＤＴ２を格納した半導体メモリを交換するだけで、各種装置に対応することが可能になる。
【００２４】
以下では、制御部１０について、さらに詳しく説明する。可変抵抗器ＶＲは、抵抗値に応じた電圧を中間端子から取り出すように抵抗体の両端に定電圧が印加される。したがって、制御部１０はＡ／Ｄ変換器１１を備え、可変抵抗器ＶＲの中間端子から印加された電圧値をＡ／Ｄ変換器１１でデジタル値に変換する。Ａ／Ｄ変換器１１から出力されたデジタル値は、制御部１０に内蔵した照合部１２において、データテーブルＤＴと照合される。データテーブルＤＴにおいて、基本データテーブルＤＴ１と補助データテーブルＤＴ２とは、それぞれ表１の形式で調光レベルを指示する調光データが色温度に対応付けられている。表１において最上段の「３０００」「３１００」……は色温度を示し、単位は〔Ｋ〕である。また、左端のφ１，φ２，……は全光束を示し、ａｊｉ，ｂｊｉ（ｉ＝０，１，……，３７、ｊ＝１，２，……）は、各ランプＬａ，Ｌｂに対する調光データを示す。表１の例では色温度を１００Ｋ刻みに設定しているが、色温度の刻み幅は適宜に設定可能である。色温度および全光束の刻み幅は、１刻みでは人が変化を認識せず、２刻みでは人が変化を認識できる程度に設定するのが望ましい。
【００２５】
【表１】
2006210077.tif 000003
【００２６】
基本データテーブルＤＴ１は、色温度と調光データとを理論値で対応付けたものであり、調光データの比率が１：１であるときに各ランプＬａ，Ｌｂの光出力が等しくなり、また調光データと光出力との対応関係が両ランプＬａ，Ｌｂで等しいと仮定して設定してある。つまり、基本データテーブルＤＴ１に格納された調光データは、色温度に対して理論値として得られる基本の調光データになる。
【００２７】
これに対して補助データテーブルＤＴ２は、基本データテーブルＤＴ１の調光データが色温度に対して線形に変化するように補正するための補正用の調光データを色温度に対応付けて設定したものであり、点灯装置１ａ，１ｂ、調光信号生成器２ａ，２ｂ、ランプＬａ，Ｌｂ、器具本体（後述する）などの特性に応じて設定される。
【００２８】
上述したモード切換スイッチＳＷ１は、照合部１２において、Ａ／Ｄ変換器１１から出力されたデジタル値を、データテーブルＤＴの色温度と全光束とのどちらに対応付けるかを選択し、色温度に対応付けるときには制御部１０が調色モードで動作し、全光束に対応付けるときには制御部１０が調光モードで動作する。
【００２９】
いま、モード切換スイッチＳＷ１により調色モードを選択しているものとすると、制御部１０に設けた照合部１２ではＡ／Ｄ変換器１１から入力されたデジタル値をデータテーブルＤＴの色温度と照合し、当該色温度に対応する調光データをデータテーブルＤＴから抽出する。調光データは、基本データテーブルＤＴ１および補助データテーブルＤＴ２から１組ずつ抽出される。１組の調光データは各ランプＬａ，Ｌｂに対応した２個の調光データからなる。
【００３０】
照合部１２での照合によりデータテーブルＤＴから抽出された２組の調光データは出力部１３に入力され、出力部１３では２組の調光データを各ランプＬａ，Ｌｂに対応する調光データごとに加算し、加算値に対応したデューティ信号を生成する。デューティ信号は上述したように調光信号生成器２ａ，２ｂに与えられる。
【００３１】
ところで、調色モードでは、両ランプＬａ，Ｌｂから出射される光束の合計である全光束を一定に保ったままで、ランプＬａ，Ｌｂから出射された光の混色によって得られる色温度を可変抵抗器ＶＲの操作量に応じて変化させる。また、基本データテーブルＤＴ１において組になる調光データは、表１の横方向では合計が一定になるように設定される。つまり、基本データテーブルＤＴ１では、ａｊ０＋ｂｊ０＝ａｊ１＋ｂｊ１＝……＝ａｊ１２＋ｂｊ１２＝……＝ａｊ３７＋ｂｊ３７となるように設定される。したがって、可変抵抗器ＶＲの抵抗値を変化させると、照合部１２では表１に示すデータテーブルＤＴを横方向に探索し、抵抗値で指示された色温度に対応する調光データを抽出する。また、組になる調光データの合計が一定であるから、基本データベースＤＴ１と照合部１２とにより、ランプＬａ，Ｌｂの調光レベルの合計が可変抵抗器ＶＲの抵抗値で指示される色温度にかかわらず一定になるように可変抵抗器ＶＲの抵抗値に応じて基本の調光レベルを変化させる基本レベル設定部が構成される。
【００３２】
点灯装置１ａ，１ｂ、調光信号生成器２ａ，２ｂ、ランプＬａ，Ｌｂなどの特性において入出力の関係が比例関係であれば。可変抵抗器ＶＲとして抵抗値が操作量に比例して変化するＢ型のものを用いることにより、可変抵抗器ＶＲの操作量と各ランプＬａ，Ｌｂの光束の変化とを比例関係とすることができる。したがって、理論値で設定した基本データテーブルＤＴ１の調光データを用いることにより、可変抵抗器ＶＲの操作量と色温度との関係を比例関係とすることが可能になると考えられる。
【００３３】
しかしながら、実際には、点灯装置１ａ，１ｂ、調光信号生成器２ａ，２ｂ、ランプＬａ，Ｌｂなどの特性において入出力の関係は比例関係ではなく、しかもランプＬａ，Ｌｂを装着した器具本体の特性によっても比例関係が損なわれることがあるから、可変抵抗器ＶＲの抵抗値と色温度とを比例関係にはならない。つまり、基本データテーブルＤＴ１では、色温度をθとすれば、１組の調光データ（ａｊｉ，ｂｊｉ）について、ｊ＝一定であれば、ａｊｉ＝ｐ・θ、ｂｊｉ＝ｑ・θであり（ｐ，ｑは比例定数）、ａｊｉ＋ｂｊｉ＝一定という関係になるが、可変抵抗器ＶＲの抵抗値に対する各ランプＬａ，Ｌｂの光出力は、たとえば図２に曲線イ、ロで示すように非線形に変化する。図示例において各曲線の最小値が０ではないのは、一般に蛍光ランプのような放電灯では、定格点灯での光出力を１００％とするときに、光出力を０％付近まで絞り込むと立ち消えして点灯しないからであって、各ランプＬａ，Ｌｂの光出力の最小値ＢｍｉｎはランプＬａ，Ｌｂを始動可能かつ立ち消えせずに安定に点灯させることが可能な最小値に設定される。ランプＬａ，Ｌｂの種類によっても異なるが、最小値Ｂｍｉｎは一般に定格点灯時の光出力に対して１５〜２５％の範囲内で選択される。なお、図２に示す関係では、全光束は各ランプＬａ，Ｌｂの光出力の最小値Ｂｍｉｎと最大値Ｂｍａｘとの合計で決まる一定値になる。つまり、図２の例では、一方のランプＬａ，Ｌｂのみが点灯する状態は生じないから、発光色の色温度が３０００Ｋと６７００ＫとのランプＬａ，Ｌｂを用いた場合の色温度の調節可能範囲は、たとえば３２００〜５６００Ｋになる。
【００３４】
上述したように、可変抵抗器ＶＲの抵抗値と各ランプＬａ，Ｌｂの光出力とは比例関係ではないから、図２の上部に示しているように色温度の変化は等間隔にならず、抵抗値と色温度との関係は図３に破線で示す関係になる。本実施形態では、可変抵抗器ＶＲの抵抗値と照明空間に照射する光の色温度との関係を図３に実線で示すような比例関係とすることが目的であり、その目的の達成のために、基本データテーブルＤＴ１とは別に補助データテーブルＤＴ２を設けている。つまり、補助データテーブルＤＴ２に格納された調光データは補正用データであって、基本データテーブルＤＴ１に格納された調光データに加算することにより、図３に実線に示す関係が得られるようにする。
【００３５】
図３の破線に示す関係であれば可変抵抗器ＶＲとしてＣ型のものを用いることで図３の実線に示す関係に近付けることが可能である。しかしながら、図３の破線の関係と完全に逆の特性になるような可変抵抗器ＶＲを得るのは難しく、また点灯装置１ａ，１ｂ、調光信号生成器２ａ，２ｂ、ランプＬａ，Ｌｂ、器具本体を組み合わせた関係が図３の破線のような形になるとは限らないから、本実施形態では、補助データテーブルＤＴ２を用いることにより、図３に実線で示す関係に補正している。このように、補助データテーブルＤＴ２は、照合部１２および出力部１３とともに、可変抵抗器ＶＲの操作量とランプＬａ，Ｌｂから出射される光の混色光の色温度との関係が比例関係になるように基本の調光レベルを補正するレベル補正部として機能する。すなわち、図７に示すように、可変抵抗器ＶＲの操作部ＶＲａに対応付ける目盛ＶＲｂが色温度に関して等間隔になる。なお、図７では色温度とともに可変抵抗器ＶＲで全光束を変化させる場合の光量の変化方向も併せて表記している。
【００３６】
基本データテーブルＤＴ１において補助データテーブルＤＴ２の調光データを加算した調光データを設定することは可能であるが、本実施形態のように、基本データテーブルＤＴ１から補助データテーブルＤＴ２を分離すれば、点灯回路１ａ，１ｂ、調光信号発生器２ａ，２ｂ、ランプＬａ，Ｌｂ、器具本体などの仕様に変更が生じたときにも、基本データテーブルＤＴ１に変更を加えることなく、補助データテーブルＤＴ２の手直しだけで対応することができる。つまり、補助データテーブルＤＴ２に格納する調光データを設計仕様に合わせて変更するだけで、種々仕様に対応可能になる。
【００３７】
上述した説明は調色モードの動作であるが、モード選択スイッチＳＷ１により調光モードを選択した場合には、制御部１０に設けた照合部１２ではＡ／Ｄ変換器１１から入力されたデジタル値をデータテーブルＤＴの全光束と照合し、当該全光束に対応する調光データをデータテーブルＤＴから抽出する。可変抵抗器ＶＲの抵抗値を変化させると、照合部１２では表１に示すデータテーブルＤＴを縦方向に探索し、抵抗値で指示された全光束に対応する調光データを抽出する。調光モードにおいても、調色モードと同様に、基本データテーブルＤＴ１と補助データテーブルＤＴ２とから調光データの組を抽出する。表１に示すデータテーブルＤＴにおいて縦方向に並ぶ各１組の調光データは色温度が等しく、全光束の異なる調光データであるから、可変抵抗器ＶＲの抵抗値の変化により、照明空間に出射する光の色温度を変化させずに全光束のみを変化させることができる。
【００３８】
色温度の異なる２種類のランプＬａ，Ｌｂの光出力を混合することにより得られる光の調節範囲は、図４に示す矩形ＡＢＣＤの範囲内であり、色温度は、各ランプＬａ，Ｌｂの光出力の合計を一定にする直線上（たとえば、直線ＡＣ）で変化し、全光束は、各ランプＬａ，Ｌｂの光出力を混合して得られる色温度を一定にする直線上（たとえば、直線ＢＤ）で変化する。また、色温度が異なれば全光束の可変範囲が異なり、全光束が異なれば色温度の可変範囲が異なる。この関係を色温度と全光束との関係で示すと図５のようになり、図５に示す菱形ＥＦＧＨの範囲内で色温度と全光束とを変化させることができるのであって、色温度については図５の縦方向に変化させることができ、全光束については図５の横方向に変化させることができる。
【００３９】
したがって、モード選択スイッチＳＷ１により調光モードを選択して全光束を変化させ、所望の全光束になった状態でモード選択スイッチＳＷ１により調色モードを選択して色温度を変化させると、調光モードで決めた全光束を保った状態で色温度を変化させることができる。逆に、調色モードで所望の色温度に調節した後に、調光モードを選択して全光束を変化させると、調色モードで決めた色温度を保った状態で全光束を変化させることができる。ここにおいて、両ランプＬａ，Ｌｂの光出力を最大にすることが可能な色温度である４２００Ｋを選択した場合には、全光束の可変範囲がもっとも広くなり、また全光束を最大にすれば各ランプＬａ，Ｌｂの定格点灯時の合計の光束が得られるから、各ランプＬａ，Ｌｂを単独で使用する場合の約２倍の光出力を得ることが可能になる。
【００４０】
なお、本実施形態では入切スイッチＳＷ２を設けてランプＬａ，Ｌｂの点灯・消灯を入切スイッチＳＷ２で行うから、可変抵抗器ＶＲで選択可能である各ランプＬａ，Ｌｂの光出力の下限値を上述のようにランプＬａ，Ｌｂを始動可能かつ立ち消えせずに安定に点灯さえることが可能な値とし、ランプＬａ，Ｌｂが消灯するまで可変抵抗器ＶＲで光出力を絞り込むことがないようにしてある。したがって、可変抵抗器ＶＲではランプＬａ，Ｌｂの消灯を意識することなく、安心して色温度ないし全光束のみを変化させる操作が行えることになる。
【００４１】
ところで、ランプＬａ，Ｌｂは、図７に示すように、同形状かつ同寸法である直管状の蛍光ランプであって、厚み方向の一面（前面）が開放された薄箱状の器具本体３の中に平行に並べて上下方向に等間隔ずる離間して配列される。器具本体３の背面中央部には継手４を介してポール５が結合される。継手４はポール５に対して器具本体３を首振り自在に結合するものであって周知構造のものを用いることができる。また、器具本体３の背面には、点灯回路１ａ，１ｂおよび調光信号生成器２ａ，２ｂを収納するハウジング６ａと、制御部１０を収納し可変抵抗器ＶＲ、切換スイッチＳＷ１、入切スイッチＳＷ２の操作部ＶＲａ，ＳＷ１ａ，ＳＷ２ａを露出させるハウジング６ｂとが設けられる。さらに、器具本体３には配光を制御するためのバンドア７が装着される。バンドア７は器具本体３に固着または着脱可能に取り付けられる。
【００４２】
発光色の色温度が異なる２種類のランプＬａ，Ｌｂは、交互に並ぶように器具本体３に取り付けられる。また、同種のランプＬａ，Ｌｂのピッチは１本のランプＬａ，Ｌｂの直径の３倍以下に設定される。つまり同種のランプＬａ，Ｌｂの間隔は１本のランプＬａ，Ｌｂの直径２の倍以下であり、異種のランプＬａ，Ｌｂの間隔は１本のランプＬａ，Ｌｂの半径以下になる。この寸法とすることによりランプＬａ，Ｌｂの光出力の混色性が高まり、また輝度むらも少なくなる。とくに、両ランプＬａ，Ｌｂの光出力の差が大きくなる色温度（色温度の調節範囲の上限付近または下限付近）では、色むらが大きくなる可能性があるが、上述の寸法であれば、拡散パネルを用いなくとも、実用上で問題の生じない程度に色むらや輝度むらを抑制することができる。したがって、拡散パネルを用いる場合よりも光の利用効率が高くなり小型化が可能になる。
【００４３】
器具本体３には、図８に示すように、各ランプＬａ，Ｌｂを装着する多数個のソケット８が配置され、各ランプＬａ，Ｌｂは同形状かつ同寸法であるから、ランプＬａ，Ｌｂの取付時にランプＬａ，Ｌｂの取付位置を間違える可能性が高くなる。ランプＬａ，Ｌｂがソケット８に正しく取り付けられていないと、異なる調光データでランプＬａ，Ｌｂの光出力が制御されることになるから、所望の色温度および全光束が得られないことになる。そこで、器具本体３の内側面には、各ランプＬａ，Ｌｂの取付位置に対応付けて銘板９を取り付けてあり、銘板９に表記されたランプＬａ，Ｌｂの種類と装着するランプＬａ，Ｌｂの種類とを確認することによって、誤装着を防止できるようにしてある。
【００４４】
なお、上述した構成例では、切換スイッチＳＷ１および入切スイッチＳＷ２を設けているから、調色モードと調光モードとが選択可能であり、またランプＬａ，Ｌｂの点灯・消灯を可変抵抗器ＶＲでは行わないようにしているが、切換スイッチＳＷ１を設けずに色温度のみの調節を可能としたり、入切スイッチＳＷ１を設けずに可変抵抗器ＶＲをランプＬａ，Ｌｂの点灯・消灯に用いることも可能である。また、ランプＬａ，Ｌｂの色温度や器具本体３の構造も一例であって必要に応じて適宜に変更することができる。さらには、基本データテーブルＤＴ１を用いずに可変抵抗器ＶＲの抵抗値の変化により各ランプＬａ，Ｌｂの光出力に対応付けるように構成したアナログ回路に、補助データテーブルＤＴ２を備えるデジタル回路とを組み合わせることにより、全光束を一定に保って色温度を変化させるとともに、可変抵抗器ＶＲの操作量と色温度との関係を比例関係とする上述の動作を実現することも可能である。また、ランプＬａ，Ｌｂも２種類だけではなく発光色の色温度が異なる３種類以上のランプを用いることも可能である。さらに、上述の例ではランプＬａ，Ｌｂについて、発光色の色温度以外については同仕様であると想定して説明したが、色温度以外についても仕様が異なるランプを組み合わせて用いることも可能であり、組み合わせて用いるランプの仕様が異なる場合には補助データテーブルＤＴ２に格納する調光データの変更で対応する。
【図面の簡単な説明】
【００４５】
【図１】本発明の実施形態を示すブロック図である。
【図２】同上における基本の調光データによる制御例を示す動作説明図である。
【図３】同上における基本の調光データによる問題を示す動作説明図である。
【図４】同上の動作説明図である。
【図５】同上の動作説明図である。
【図６】同上に用いる可変抵抗器の操作部を示す正面図である。
【図７】（ａ）は同上の前面側の斜視図、（ｂ）は同上の背面側の斜視図である。
【図８】同上の要部正面図である。
【符号の説明】
【００４６】
１ａ，１ｂ  点灯装置
１０  制御部
１２  照合部
１３  出力部
ＤＴ１  基本データテーブル
ＤＴ２  補助データテーブル
Ｌａ，Ｌｂ  ランプ
ＳＷ１  モード切換スイッチ
ＶＲ  可変抵抗器
【図１】
2006210077.tif 000004
【図２】
2006210077.tif 000005
【図３】
2006210077.tif 000006
【図４】
2006210077.tif 000007
【図５】
2006210077.tif 000008
【図６】
2006210077.tif 000009
【図７】
2006210077.tif 000010
【図８】
2006210077.tif 000011